(57)【要約】【課題】複数のコネクタ形状のケーブルが混在した場合にケーブルとコネクタの組み合わせの識別が困難となり、全てのケーブルを取り出して１本ずつ両端のコネクタ形状を確認する手間が掛かり、間違ったケーブルを選択する可能性が高まる。【解決手段】複数のコネクタ形状が混在するケーブルを整理して掛けるための保持器具であって、複数のコネクタの首部を斜め上向きに引っ掛けて保持するための複数の歯を有する櫛状部１と、同保持器具をパイプや壁にぶら下げて保持するためのフック部２とから成るケーブル保持器具。さらに前記櫛状部１の歯を真上や斜め上向きに保持して前記フック部２と接続するための台座部３を有しても良い。【選択図】図１
2020126820.tif 000002
【特許請求の範囲】
【請求項１】
複数のコネクタ形状が混在する複数のケーブルを整理して掛けるための保持器具であって、複数のコネクタの首部を斜め上向きに引っ掛けて保持するための複数の歯を有する櫛状部１と、同保持器具をパイプや壁にぶら下げて保持するためのフック部２とから成るケーブル保持器具。
【請求項２】
前記櫛状部１を上向きに保持して前記フック部２と接続するための台座部３をさらに有する請求項１の保持器具。
【請求項３】
前記櫛状部１はＵＳＢケーブルのコネクタを引っ掛けるように構成され、２つの櫛状部から構成され、それぞれの歯間の空隙は２ミリメートルから４ミリメートルである請求項１の保持器具。
【請求項４】
前記櫛状部１はＵＳＢケーブルのコネクタを引っ掛けるように構成され、櫛状の歯を斜め上向きにすることで２つの歯間の１つの空隙で同一種類のコネクタを複数本保持するように構成した請求項１の保持器具。
【請求項５】
前記櫛状部１はＵＳＢケーブルのコネクタを引っ掛けるように構成され、コネクタを把持するための突起と曲線で構成される歯を有する請求項１の保持器具。
【請求項６】
前記台座部３は前記櫛状部１を斜め上向きで固定するか、真上向きで固定するかを選択可能とする請求項２に記載の保持器具。
【請求項７】
前記フック部２は水平面内でフックの方向を変えられるように首を回転するように構成された請求項１の保持器具。
【請求項８】
前記櫛状部１は異なるケーブル径のケーブルコネクタを引っ掛けるように構成され、それぞれの歯間の空隙は異なる距離で構成される請求項１の保持器具。
【発明の詳細な説明】
【技術分野】
【０００１】本発明は、ＵＳＢケーブルなど複数のコネクタ形状が存在するケーブルを整理して保持するための保持器具に関するものである。
【背景技術】
【０００２】ＵＳＢケーブルはタイプＡ，タイプＢ、タイプＣ、ｍｉｎｉ、ｍｉｃｒｏ、ｌｉｇｈｔｉｎｇ  など複数の規格が存在し、ケーブルの片端はタイプＡでパソコン等に接続するものが多い。複数のケーブルがある場合タイプＡのコネクタを見つけても他端が何なのか判らず、結局全てのケーブルを取り出して１本ずつ確認する等の手間が掛かる。また、この際他のケーブルが棚やフック等から落下するなど、適切なケーブルを見つけるまでに多大な労力と無駄が発生する。または１本ずつ輪状に括って保管し、使用後は再度輪状に括りなおす等の手間を掛ける必要がある。
【発明の概要】
【発明が解決しようとする課題】
【０００３】複数のコネクタ形状のケーブルが混在した場合にケーブル同士の識別が困難となり、全てのケーブルを取り出して１本ずつコネクタ形状を確認しなくてはならないと手間が掛かり、必要としていない間違ったケーブルを選択する可能性が高まる。
【課題を解決するための手段】
【０００４】複数のコネクタ形状が混在するケーブルを整理して壁やパイプ等に掛けるため、複数のコネクタの首部を引っ掛けるための斜め上向きに保持された複数の歯を有する櫛状部を有し、フックにより壁や棚等に掛けるケーブル保持器具を提供する。
【発明の効果】
【０００５】ＵＳＢケーブルなど複数のコネクタ形状が存在するケーブルを整理して棚や壁等に引っ掛けて保管することができる。コネクタが斜め上向きに固定されるため、複数のコネクタ形状があっても識別が容易となり、ケーブル選択の手間が省け、誤ったコネクタを選択する可能性が低くなる。また、斜め上向きにコネクタを固定するため複数本のケーブルを重ねて保持しても容易にケーブルが外れない。
【図面の簡単な説明】
【０００６】
【図１】本器具を真横から見た図である。（掛ける壁やパイプに対して真横）
【図２】本器具を正面（掛ける壁やパイプに対して正面）から見た図である。
【図３】本器具に複数のＵＳＢケーブルを掛けた状態を横から見た例である。例では櫛状部１の左側を垂直（使用しない状態）とし、右側の櫛状部を使用中とした状態の例である。
【図４】本器具に複数のコネクタ形状のＵＳＢケーブルを複数本（各３本ずつ）掛けた状態を正面から見た例である
【発明を実施するための形態】
【０００７】図１に本保持器具の構成を示す。
複数のコネクタ形状が混在するケーブルを整理して掛けるための保持器具であって、複数のコネクタの首部を斜め上向きに引っ掛けて保持するための複数の歯を有する櫛状部１と、同保持器具をパイプや壁にぶら下げて保持するためのフック部２と、前記櫛状部１を上向きに保持して前記フック部２と接続するための台座部３とから成るケーブル保持器具である。櫛状部１とフック部２の接続角度を常時固定とすることで台座部３を櫛状部１もしくはフック部２と一体化して生成し、台座部３を省略することが可能である。
図１に示すように台座部３は櫛状部１を櫛の歯を上向きに固定することができ、図３のように櫛状部１の１つ（例えば図３では左側）を真上方向で固定できる。これにより片方が壁であるような場合は右側だけの櫛状部１を斜め上向きとすることで使用することができる。勿論櫛状部１は左右のうちの片方のみを実装することでも良い。フック部２は壁やパイプに本保持器具をぶら下げるためのもので、壁やパイプから外れないようにバネによる挟み込み押えやネジ、ピンによる固定など公知の方法でフック部２を固定補強することができる。また、フック部２は、引っ掛ける壁やパイプの方向に合わせて水平面内で首を回転できるように構成することができる。
台座部３にはＵＳＢタイプＡとＵＳＢタイプＣ変換コネクタ等の小物を置けるようにスペースを具備しても良い。また、フック部２に変換コネクタ等の小物のはさみ込み機構やぶら下げフックを具備しても良い。
図２は本保持器具を正面から見た図であり、櫛状部１は複数の歯から構成されている。この歯は２ミリメートル以上、４ミリメートル以内の空隙で隔たり、ケーブルのコネクタ部を挟み込むことでケーブルが引っ掛かるように構成されている。図２では歯の先は矩形であるが、ケーブルを引っ掛けやすいように歯の先を細くしたり、丸みを持たせて刺しやすくし、安易にケーブルが外れないように歯の途中に突起や曲線を持たせることで一度刺さったケーブルを把持するように構成することができる。ケーブルの太さはＵＳＢでは直径２ミリメートルから４ミリメートルが代表的であるが、これ以外の規格のケーブルにも対応できるように歯の間隔を異ならせるように構成しても良い。
図３は本保持器具にＵＳＢケーブルを３本１つの歯の間に保持している状態の例を示している。図３のようにケーブルのコネクタ部分の首を歯に引っ掛けることで１つの歯間に例では同じ種類のコネクタの３本のケーブルを収容することができる。図３では、台座部３で左側の櫛状部１を倒さない（真上を向ける）状態で、右側の櫛状部１を上向きで傾斜させ使用状態とすることを示している。この傾斜状態は例えば図３の台座部３の半円部分で櫛状部１の引っ掛かり突起部に噛合わせる嵌合部を具備すること等で実現できる。
図４は本保持器具同じ種類のコネクタのＵＳＢケーブル３本を３種類のコネクタ分の計９本保持した状態を示す図である。図４の右側の中３つの歯のように、容易にケーブルが刺さるように歯の太さを先端と根元で異ならせたり、一度刺さったケーブルが容易に外れないように歯の途中に突起や曲線を持たせることでケーブルを把持するように構成することができる。
なお、本保持器具の櫛状部１を斜め上向きに角度を持たせることに伴う収納、運搬スペース増大を無視すれば、櫛状部１とフック部２の接続角度を常時固定とすることで台座部３を櫛状部１もしくはフック部２と一体化して生成し、台座部３を省略することが可能である。
【産業上の利用可能性】
【０００８】本発明は、ＵＳＢケーブルなど複数のコネクタ形状が存在するケーブルを整理して棚や壁等に保管することができる保持器具に関するもので、複数のコネクタの首部を引っ掛けるため斜め上向きに保持された複数の歯を有する櫛状部を有し、フックにより壁や棚等に掛けることで利便性の向上を図ることができる。
【符号の説明】１  櫛状部
２  フック部
３  台座部
【図１】
2020126820.tif 000003
【図２】
2020126820.tif 000004
【図３】
2020126820.tif 000005
【図４】
2020126820.tif 000006